【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
画像形成装置であって、
画像データを記憶する記憶手段と、
前記記憶手段から画像データを取得する取得手段と、
前記取得手段により前記記憶手段から取得した画像データから生成される画像を用紙に印刷する印刷手段と、
収納部に収納された用紙を前記印刷手段へ搬送し、前記印刷手段により画像が形成された当該用紙を前記画像形成装置の外まで搬送する搬送手段と、
ユーザに通知を行う通知手段と、を有し、
前記搬送手段は、前記記憶手段から画像データを取得できなかったことに基づいて、前記用紙の搬送を停止し、
前記通知手段は、前記用紙の搬送が停止したことに従って、前記用紙の搬送が停止されたことを示す情報を通知することを特徴とする画像形成装置。
【請求項２】
前記搬送手段は、前記取得手段が前記記憶手段から画像データを取得できなかったことに従って、前記取得手段が前記記憶手段から画像データを取得できなかったことよりも前に前記収納部から搬送が開始された用紙であって、前記画像形成装置の外に排紙されていない用紙の搬送を停止することを特徴とする請求項１に記載の画像形成装置。
【請求項３】
前記搬送手段は、前記取得手段が前記記憶手段から画像データを取得できなかったことに従って、前記収納部から搬送が開始された複数の用紙の搬送を停止することを特徴とする請求項１または２に記載の画像形成装置。
【請求項４】
前記搬送手段は、前記取得手段が前記記憶手段から画像データを取得できなかったことに従って、前記収納部から搬送が開始された複数の用紙を前記画像形成装置の外に排紙することなく停止することを特徴とする請求項１乃至３のいずれか１項に記載の画像形成装置。
【請求項５】
前記搬送手段は、ローラを駆動させて前記収納部から用紙を搬送し、前記取得手段が前記記憶手段から画像データを取得できなかったことに従って、前記ローラの駆動を停止することを特徴とする請求項１乃至４のいずれか１項に記載の画像形成装置。
【請求項６】
前記搬送手段は、前記取得手段が前記記憶手段から画像データを取得できなかったことに従って用紙の搬送を停止し、少なくとも前記画像形成装置から搬送途中の用紙が取り除かれるまで用紙の搬送を停止することを特徴とする請求項１乃至５のいずれか１項に記載の画像形成装置。
【請求項７】
前記通知手段は、表示部であり、
前記表示部は、前記用紙の搬送が停止されたことを示す情報として、前記用紙の搬送が停止されたことを示す画面を表示することを特徴とする請求項１乃至６のいずれか１項に記載の画像形成装置。
【請求項８】
前記画面は、途中で搬送が停止された用紙を取り除く作業を示す画面であることを特徴とする請求項７に記載の画像形成装置。
【請求項９】
前記記憶手段は、画像データの格納された複数のファイルを記憶することができ、
前記取得手段は、ファイルパスを指定して前記記憶手段に記憶された画像データを読み出すことを特徴とする請求項１乃至８のいずれか１項に記載の画像形成装置。
【請求項１０】
前記取得手段は、前記記憶手段から画像データを取得できなかったことに基づいて、前記記憶手段からの画像データの取得を停止することを特徴とする請求項１乃至９のいずれか一項に記載の画像形成装置。
【請求項１１】
画像形成装置であって、
画像データを記憶する記憶手段と、
前記記憶手段から画像データを取得する取得手段と、
前記取得手段により前記記憶手段から取得した画像データから生成される画像を用紙に印刷する印刷手段と、
収納部に収納された用紙を前記印刷手段へ搬送し、前記印刷手段により画像が形成された当該用紙を前記画像形成装置の外まで搬送する搬送手段と、
前記記憶手段から画像データを取得できなかったことに基づいて、前記画像データを含む印刷ジョブを中止する中止手段と、
を有することを特徴とする画像形成装置。
【請求項１２】
前記中止手段は、前記記憶手段から取得することのできなかった前記画像データを含む前記印刷ジョブから生成された画像データを前記記憶手段から削除することを特徴とする請求項１１に記載の画像形成装置。
【請求項１３】
前記記憶手段は、複数の印刷ジョブを記憶することができ、
前記印刷手段は、搬送の途中の用紙が前記画像形成装置から取り除かれた後に、前記記憶手段に記憶された印刷ジョブのうち、前記中止手段により実行されないよう制御された印刷ジョブと異なる印刷ジョブの画像データから生成される画像を印刷することを特徴とする請求項１１または１２に記載の画像形成装置。
【請求項１４】
前記印刷手段は、搬送の途中の用紙が前記画像形成装置から取り除かれた後に、前記記憶手段に記憶された印刷ジョブのうち、前記中止手段により実行されないよう制御された印刷ジョブの次に実行される印刷ジョブの画像データから生成される画像を印刷することを特徴とする請求項１３に記載の画像形成装置。
【請求項１５】
外部の装置から印刷ジョブを受信する受信手段をさらに有し、
前記記憶手段は、前記受信手段により受信された印刷ジョブを記憶することを特徴とする請求項１乃至１４のいずれか１項に記載の画像形成装置。
【請求項１６】
前記搬送手段は、前記取得手段が前記記憶手段から取得できなかった画像データよりも前に、前記取得手段により取得された画像データから生成された画像が形成された用紙が排紙された後、用紙の搬送を停止することを特徴とする請求項１乃至１５のいずれか１項に記載の画像形成装置。
【請求項１７】
前記搬送手段は、前記取得手段が前記記憶手段から画像データを取得できなかったことに応じて、前記収納部から用紙の搬送を停止することを特徴とする請求項１乃至１６のいずれか１項に記載の画像形成装置。
【請求項１８】
前記記憶手段がハードディスクであることを特徴とする請求項１乃至１７のいずれか１項に記載の画像形成装置。
【請求項１９】
画像データを記憶手段に記憶する記憶工程と、
前記記憶工程において前記記憶手段に記憶された画像データを取得する取得工程と、
前記取得工程において取得された画像データから生成される画像を用紙に印刷する印刷工程と、を有する画像形成装置の制御方法において、
収納部に収納された用紙を印刷手段へ搬送し、前記印刷工程において画像が印刷された用紙を画像形成装置の外まで搬送する搬送工程と、
ユーザに通知する通知工程と、を有し、
前記搬送工程において、前記取得工程において画像データを取得できなかったことに基づいて、前記用紙の搬送を停止し、
前記通知工程において、前記用紙の搬送が停止したことに従って、前記用紙の搬送が停止されたことを示す情報を通知することを特徴とする画像形成装置の制御方法。
【請求項２０】
請求項１９に記載の画像形成装置の制御方法をコンピュータが実行するためのコンピュータプログラム。
【手続補正２】
【補正対象書類名】明細書
【補正対象項目名】０００８
【補正方法】変更
【補正の内容】
【０００８】
本願に記載の画像形成装置は、画像データを記憶する記憶手段と、前記記憶手段から画像データを取得する取得手段と、前記取得手段により前記記憶手段から取得した画像データから生成される画像を用紙に印刷する印刷手段と、収納部に収納された用紙を前記印刷手段へ搬送し、前記印刷手段により画像が形成された当該用紙を前記画像形成装置の外まで搬送する搬送手段と、ユーザに通知を行う通知手段と、を有し、前記搬送手段は、前記記憶手段から画像データを取得できなかったことに基づいて、前記用紙の搬送を停止し、前記通知手段は、前記用紙の搬送が停止したことに従って、前記用紙の搬送が停止されたことを示す情報を通知することを特徴とする。